(57)【要約】【課題】底面部と、内側スリーブ状部を有し、内側スリーブ状部の側面部の一部が分離部として他の部分と切目線を介して分離可能な内箱部と、内側スリーブ状部を構成する各内側側面部に対応して外側側面部を有する外側スリーブ状部と、蓋部とを有し、分離部が設けられた内側側面部に対応した外側側面部に分離部が接着された外箱部と、を有する包装箱であって、少ない工程で外箱部を内箱部に対して分離できるともに、被収納物が軽量の場合でも内箱部に対する外箱部の分離に支障を来すことがない包装箱を提供する。【解決手段】内箱部Ａ１において、本体部２２（３２）に開口部２３（３３）が設けられ、分離部２４（３４）が開口部２２（３２）内において正面側及び底面側に偏って形成され、外箱部Ａ２において、側面部１２０に切欠部１２２が形成され、側面部１２０と相対する側面部にも同様の切欠部が形成されている。【選択図】図３
2014156276.tif 000002
【特許請求の範囲】
【請求項１】
包装箱であって、
底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と切目線を介して分離可能に形成され、内側側面部本体部に開口部が設けられ、該分離部が該開口部内において正面側及び底面側に偏って形成されることにより、分離部の背面側及び上側に分離部と開口部の縁部との間に間隙が形成されているとともに、分離部の正面側と底面側が切目線を介して内側側面部本体部と接続している内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から連設された蓋部とを有し、内箱部における分離部が設けられた内側側面部に対応した外側側面部に分離部が接着され、一対の外側側面部の下端の正面側に内箱部を露出するための切欠部が設けられた外箱部と、
を有し、
内箱部と外箱部とが、それぞれ１枚のシート状のブランクにより形成されていて、
内箱部における上記切欠部からの露出部分を一方の手でつかんだ状態で、他方の手で外箱部をつかみ、外箱部の正面部が背面側斜め上方に回動するように外箱部を内箱部に対して回動させることにより、分離部が内側側面部本体部に対して背面側斜め上方に引っ張られて内側側面部本体部と分離部間の切目線が破断することを特徴とする包装箱。
【請求項２】
包装箱であって、
底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と切目線を介して分離可能に形成され、内側側面部本体部に上側に開口した切欠部が設けられ、該分離部が該切欠部内において正面側に偏って形成されることにより、分離部の背面側に分離部と切欠部の縁部との間に間隙が形成されているとともに、分離部の正面側と底面側が切目線を介して内側側面部本体部と接続している内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から連設された蓋部とを有し、内箱部における分離部が設けられた内側側面部に対応した外側側面部に分離部が接着され、一対の外側側面部の下端の正面側に内箱部を露出するための切欠部が設けられた外箱部と、
を有し、
内箱部と外箱部とが、それぞれ１枚のシート状のブランクにより形成されていて、
内箱部における上記切欠部からの露出部分を一方の手でつかんだ状態で、他方の手で外箱部をつかみ、外箱部の正面部が背面側斜め上方に回動するように外箱部を内箱部に対して回動させることにより、分離部が内側側面部本体部に対して背面側斜め上方に引っ張られて内側側面部本体部と分離部間の切目線が破断することを特徴とする包装箱。
【請求項３】
一対の外側側面部における底面側の辺部が、内側側面部の底面側の辺部に沿って設けられた第１辺部と、第１辺部の背面側の背面側の端部から連設され、背面側にいくほど上方になるように傾斜した第２辺部とを有し、外側背面部の底面側の辺部が一対の第２辺部の背面側の端部間に形成され、一対の外側側面部における第１辺部と第２辺部間の角部が、分離部の前後方向の中心位置よりも背面側に設けられ、内箱部に対して外箱部を回動させる際に該角部が回動中心となることを特徴とする請求項１又は２に記載の包装箱。
【請求項４】
内側側面部に設けられた分離部は、該内側側面部の横方向における略中央位置に設けられていることを特徴とする請求項１又は２又は３に記載の包装箱。
【請求項５】
底面部は、内側正面部の下辺から連設された第１片部と、一対の内側側面部の一方における下辺から連設された第２片部と、一対の内側側面部の他方における下辺から連設された第３片部と、内側背面部の下辺から連設された第４片部により形成され、内側スリーブ状部における隣接する各部を互いに直角にすることにより底面部が略方形状の外形を有することを特徴とする請求項１又は２又は３又は４に記載の包装箱。
【発明の詳細な説明】
【技術分野】
【０００１】
本発明は、包装箱に関するものであり、複数の商品を集合して包装するとともに、包装箱の一部を分離させて商品を店頭等に陳列する包装箱に関するものである。
【背景技術】
【０００２】
従来より、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献１〜２に示す先行技術文献についての出願を行っている。
【０００３】
特許文献１に記載の包装箱においては、外箱部Ａ２の右側面側と左側面側に設けられた片部１２６、１３６を外側に回動することにより、分離部２４が片部１２６に接着した状態のまま内箱部Ａ１から分離するとともに、分離部３４が片部１３６に接着した状態のまま内箱部Ａ１から分離させ、その後、外箱部Ａ２を上方に引き上げる。
【０００４】
また、特許文献２に記載の包装箱においても、外箱部Ａ２の右側面側に設けられた片部１２２を外側に回動することにより、分離部２４が片部１２２に接着した状態のまま内箱部Ａ１から分離し、外箱部Ａ２の左側面側に設けられた片部１３２を外側に回動することにより、分離部３４が片部１３２に接着した状態のまま内箱部Ａ１から分離し、その後、外箱部Ａ２を上方に引き上げる。
【先行技術文献】
【特許文献】
【０００５】
【特許文献１】実用新案登録第３１３９９４８号公報
【特許文献２】実用新案登録第３１４７１７３号公報
【発明の概要】
【発明が解決しようとする課題】
【０００６】
しかし、特許文献１及び特許文献２に記載の包装箱においては、分離部２４、３４を内箱部Ａ１から分離するために片部１２６、１３６（１２２、１３２）を外側に回動させる動作を行ない、その後、外箱部を上方に引き上げる際には、外箱部の下端又は角部を把持して引き上げることとなり、片部１２６、１３６（１２２、１３２）を回動させる動作と外箱部を引き上げる動作の間で外箱部を持ち替える必要があり、また、特許文献１及び特許文献２の包装箱では、両側の片部を同時に回動させるのは容易ではなく、一方の片部を回動させた後に他方の片部を回動させることになり、より少ない工程で外箱部を内箱部に対して分離できることが要望されていた。
【０００７】
また、特許文献１及び特許文献２に記載の包装箱においては、内箱部に収納される被収納物が軽量の場合には、外箱部を上方に引き上げる際に内箱部も上方に引き上げられてしまい、内箱部に対する外箱部の分離に支障を来すという問題があった。
【０００８】
そこで、本発明が解決しようとする問題点は、底面部と、内側スリーブ状部を有する内箱部で、内側スリーブ状部の側面部の一部が分離部として他の部分と切断予定線（切目線）を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部に分離部が接着されている外箱部と、を有する包装箱であって、少ない工程で外箱部を内箱部に対して分離できるともに、被収納物が軽量の場合でも内箱部に対する外箱部の分離に支障を来すことがない包装箱を提供することである。
【課題を解決するための手段】
【０００９】
本発明は上記問題点を解決するために創作されたものであって、第１には、包装箱（陳列用包装箱、陳列兼用包装箱としてもよい）であって、底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と切目線を介して分離可能に形成され、内側側面部本体部に開口部が設けられ、該分離部が該開口部内において正面側及び底面側に偏って形成されることにより、分離部の背面側及び上側に分離部と開口部の縁部との間に間隙が形成されているとともに、分離部の正面側と底面側が切目線を介して内側側面部本体部と接続している内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から連設された蓋部（「外側スリーブ状部の上端から折れ線を介して連設された蓋部」としてもよい）とを有し、内箱部における分離部が設けられた内側側面部に対応した外側側面部に分離部が接着され、一対の外側側面部の下端の正面側に内箱部を露出するための切欠部が設けられた外箱部と、を有し、内箱部と外箱部とが、それぞれ１枚のシート状のブランクにより形成されていて、内箱部における上記切欠部からの露出部分を一方の手でつかんだ状態で、他方の手で外箱部をつかみ、外箱部の正面部が背面側斜め上方に回動するように外箱部を内箱部に対して回動させることにより、分離部が内側側面部本体部に対して背面側斜め上方に引っ張られて内側側面部本体部と分離部間の切目線が破断することを特徴とする。
【００１０】
第１の構成の包装箱によれば、外箱部を内箱部に対して回動させるという動作のみで外箱部を内箱部から分離することができるので、少ない工程で外箱部を内箱部に対して分離することができる。
【００１１】
また、一方の手で内箱部をつかんだ状態で他方の手で外箱部を分離させるので、被収納物が軽量の場合でも内箱部に対する外箱部の分離に支障を来すことがない。
【００１２】
また、内箱部の内側側面部本体部に開口部が設けられ、該開口部内に分離部が設けられているので、分離部が内側側面部本体部により安定して支持され、よって、内箱部と外箱部の接合部分を安定させて、不用意に切目線が破断するのを防止することができる。
【００１３】
また、外箱部の外側側面部に切目線による片部を設ける必要がないので、外側側面部の見栄えをよくすることができる。
【００１４】
また、分離部を内箱部から分離することにより、外箱部を内箱部から分離するのみで被収納物を陳列することができるので、陳列作業を容易に行なうことができる。
【００１５】
また、第２には、包装箱であって（陳列用包装箱、陳列兼用包装箱としてもよい）、底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と切目線を介して分離可能に形成され、内側側面部本体部に上側に開口した切欠部が設けられ、該分離部が該切欠部内において正面側に偏って形成されることにより、分離部の背面側に分離部と切欠部の縁部との間に間隙が形成されているとともに、分離部の正面側と底面側が切目線を介して内側側面部本体部と接続している内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から連設された蓋部（「外側スリーブ状部の上端から折れ線を介して連設された蓋部」としてもよい）とを有し、内箱部における分離部が設けられた内側側面部に対応した外側側面部に分離部が接着され、一対の外側側面部の下端の正面側に内箱部を露出するための切欠部が設けられた外箱部と、を有し、内箱部と外箱部とが、それぞれ１枚のシート状のブランクにより形成されていて、内箱部における上記切欠部からの露出部分を一方の手でつかんだ状態で、他方の手で外箱部をつかみ、外箱部の正面部が背面側斜め上方に回動するように外箱部を内箱部に対して回動させることにより、分離部が内側側面部本体部に対して背面側斜め上方に引っ張られて内側側面部本体部と分離部間の切目線が破断することを特徴とする包装箱。
【００１６】
第２の構成の包装箱によれば、外箱部を内箱部に対して回動させるという動作のみで外箱部を内箱部から分離することができるので、少ない工程で外箱部を内箱部に対して分離することができる。
【００１７】
また、一方の手で内箱部をつかんだ状態で他方の手で外箱部を分離させるので、被収納物が軽量の場合でも内箱部に対する外箱部の分離に支障を来すことがない。
【００１８】
また、外箱部の外側側面部に切目線による片部を設ける必要がないので、外側側面部の見栄えをよくすることができる。
【００１９】
また、分離部を内箱部から分離することにより、外箱部を内箱部から分離するのみで被収納物を陳列することができるので、陳列作業を容易に行なうことができる。
【００２０】
なお、上記第１及び第２の構成において、「内箱部における上記切欠部からの露出部分を一方の手でつかんだ状態で、他方の手で外箱部をつかみ、外箱部の正面部が背面側斜め上方に回動するように外箱部を内箱部に対して回動させることにより、」の箇所を「外側スリーブ状部の上部開口に対して蓋部を閉じた状態として、内箱部における上記切欠部からの露出部分を一方の手でつかんだ状態で、他方の手で外箱部をつかみ、外箱部の正面部が背面側斜め上方に回動するように外箱部を内箱部に対して回動させることにより、」としてもよい。
【００２１】
また、上記第１及び第２の構成において、「内箱部における上記切欠部からの露出部分を一方の手でつかんだ状態で、他方の手で外箱部をつかみ、外箱部の正面部が背面側斜め上方に回動するように外箱部を内箱部に対して回動させることにより、分離部が内側側面部本体部に対して背面側斜め上方に引っ張られて内側側面部本体部と分離部間の切目線が破断する」の箇所を「内箱部における上記切欠部からの露出部分を一方の手でつかんだ状態で、他方の手で外箱部をつかみ、分離部の下端よりも下方位置で、かつ、分離部の横方向における中心位置よりも背面側に位置する回動中心を中心に外箱部を内箱部に対して背面側に回動させることにより、分離部が内側側面部本体部に対して背面側斜め上方に引っ張られて内側側面部本体部と分離部間の切目線が破断する」としてもよい。
【００２２】
また、第３には、上記第１又は第２の構成において、一対の外側側面部における底面側の辺部が、内側側面部の底面側の辺部に沿って設けられた第１辺部と、第１辺部の背面側の背面側の端部から連設され、背面側にいくほど上方になるように傾斜した第２辺部とを有し、外側背面部の底面側の辺部が一対の第２辺部の背面側の端部間に形成され、一対の外側側面部における第１辺部と第２辺部間の角部が、分離部の前後方向の中心位置よりも背面側に設けられ（「分離部の背面側の端部よりも背面側に設けられ」としてもよい）、内箱部に対して外箱部を回動させる際に該角部が回動中心となることを特徴とする。
【００２３】
上記第３の構成において、角部が設けられているので、この角部を回動中心（つまり、支点）として外箱部を回動させればよく、角部が分離部の前後方向の中心位置よりも背面側に設けられているので、角部を回動中心として内箱部に対して外箱部を回動させることにより、外箱部が内箱部に対して背面側斜め上方に回動される。よって、角部が設けられていることにより、容易に外箱部が内箱部に対して背面側斜め上方に回動させることができる。
【００２４】
また、第４には、上記第１から第３までのいずれかの構成において、内側側面部に設けられた分離部は、該内側側面部の横方向における略中央位置に設けられていることを特徴とする。よって、外箱部が内箱部により安定して支持されることができる。
【００２５】
また、第５には、上記第１から第４までのいずれかの構成において、底面部は、内側正面部の下辺から連設された第１片部と、一対の内側側面部の一方における下辺から連設された第２片部と、一対の内側側面部の他方における下辺から連設された第３片部と、内側背面部の下辺から連設された第４片部により形成され、内側スリーブ状部における隣接する各部を互いに直角にすることにより底面部が略方形状の外形を有することを特徴とする。
【発明の効果】
【００２６】
本発明に基づく包装箱によれば、外箱部を内箱部に対して回動させるという動作のみで外箱部を内箱部から分離することができるので、少ない工程で外箱部を内箱部に対して分離することができる。
【００２７】
また、一方の手で内箱部をつかんだ状態で他方の手で外箱部を分離させるので、被収納物が軽量の場合でも内箱部に対する外箱部の分離に支障を来すことがない。
【００２８】
また、外箱部の外側側面部に切目線による片部を設ける必要がないので、外側側面部の見栄えをよくすることができる。
【００２９】
また、分離部を内箱部から分離することにより、外箱部を内箱部から分離するのみで被収納物を陳列することができるので、陳列作業を容易に行なうことができる。
【００３０】
また、特に請求項１に記載の包装箱によれば、内箱部の内側側面部本体部に開口部が設けられ、該開口部内に分離部が設けられているので、分離部が内側側面部本体部により安定して支持され、よって、内箱部と外箱部の接合部分を安定させて、不用意に切目線が破断するのを防止することができる。
【図面の簡単な説明】
【００３１】
【図１】本発明の実施例に基づく包装箱の前方斜視図である。
【図２】本発明の実施例に基づく包装箱の後方斜視図である。
【図３】本発明の実施例に基づく包装箱の分解斜視図である。
【図４】本発明の実施例に基づく包装箱の底面図である。
【図５】内箱部の展開図である。
【図６】図５の要部説明図である。
【図７】外箱部の展開図である。
【図８】包装箱を折り畳んだ状態を示す平面図である。
【図９】包装箱の使用状態を示す斜視図である。
【図１０】包装箱の使用状態を示す斜視図である。
【図１１】包装箱の使用状態を示す斜視図である。
【図１２】包装箱の使用状態を示す斜視図である。
【図１３】包装箱の使用状態を説明する説明図である。
【図１４】包装箱の使用状態を示す斜視図である。
【図１５】内箱部の他の例を示す展開図である。
【発明を実施するための形態】
【００３２】
本発明においては、底面部と、内側スリーブ状部を有する内箱部で、内側スリーブ状部の側面部の一部が分離部として他の部分と切断予定線（切目線）を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部に分離部が接着されている外箱部と、を有する包装箱であって、少ない工程で外箱部を内箱部に対して分離できるとともに、被収納物が軽量の場合でも内箱部に対する外箱部の分離に支障を来すことがない包装箱を提供するという目的を以下のようにして実現した。
【００３３】
本発明に基づく包装箱（陳列用包装箱、陳列兼用包装箱としてもよい）Ａは、図１〜図７等に示すように構成され、内箱部Ａ１と、外箱部Ａ２とを有していて、それぞれが１枚のシート状のブランク（具体的には、段ボール（例えば、薄型段ボール）、厚紙等）により形成されている。
【００３４】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図５に示すように形成されている。
【００３５】
ここで、正面部１０は、方形状（具体的には、横長長方形状）を呈している。また、側面部２０は、正面部１０の正面視における右端の辺部から折れ線Ｃ２を介して連設され、本体部（内側側面部本体部）２２と、本体部２２の開口部２３内に形成された分離部２４とを有している。つまり、側面部２０における分離部２４以外の部分が本体部２２となっている。
【００３６】
本体部２２は、略長方形状の外形（長方形状における上側の正面側を切り欠いた形状の外形）を呈している。すなわち、本体部２２の上端の縁部は、正面部１０の上辺から連設された直線状の辺部２２ａと、辺部２２ａの背面側の端部から連設された直線状の辺部２２ｂと、辺部２２ｂの背面側の端部から連設された直線状の辺部２２ｃとを有している。辺部２２ａと辺部２２ｃとは、水平方向（本体部２２の下辺２２ｄと平行な方向）に形成され、辺部２２ｂは、背面側に行くほど上側となるように傾斜して形成されている。なお、側面部２０の上辺における辺部２２ａと辺部２２ｂの境界部分と辺部２２ｂと辺部２２ｃの境界部分は曲線状に形成されている。辺部２２ａは、内箱部Ａ１の展開状態では正面部１０の上辺の延長線上に形成され、辺部２２ｃは、内箱部Ａ１の展開状態では背面部４０の上辺の延長線上に形成されている。
【００３７】
また、本体部２２には、開口部２３が形成されている。この開口部２３を形成する縁部２３−１は、図６に示すように、互いに対向した一対の半円状の辺部２３ａ、２３ｄと、互いに平行な一対の直線状の辺部２３ｂ、２３ｃとにより形成された形状（トラック形状）を呈している。すなわち、開口部２３は、正面側に設けられた半円状の辺部２３ａと、辺部２３ａの下側の端部から連設された直線状の辺部２３ｂと、辺部２３ａの上側の端部から連設された直線状の辺部２３ｃと、辺部２３ｂ、２３ｃの背面側の端部から連設された半円状の辺部２３ｄとから形成されている。辺部２３ｄの下側の端部は、辺部２３ｂの背面側の端部に接続され、辺部２３ｄの上側の端部は、辺部２３ｃの背面側の端部に接続されている。辺部２３ｂ、２３ｃは、本体部２２の下辺２２ｄと平行に形成されている。      
【００３８】
本体部２２における開口部２３の位置は、縦方向には、本体部２２の中央よりもやや上側に形成され（つまり、開口部２３と本体部２２の上辺間の長さＬ１は、開口部２３と本体部２２の下辺間の長さＬ２よりも短い）、横方向には、本体部２２の中央よりもやや背面側に形成されている（つまり、開口部２３の正面側の端部と本体部２２の正面側の辺部間の長さＬ３は、開口部２３の背面側の端部と本体部２２の背面側の辺部間の長さＬ４よりも長い）。すなわち、分離部２４が本体部２２における横方向の中央位置（略中央位置としてもよい）に設けられ、分離部２４の上側と背面側とにおいて分離部２４と縁部２３−１間に間隙（隙間としてもよい）２３Ｓが形成されることから、開口部２３は、横方向には、本体部２２の中央よりもやや背面側に形成されている。
【００３９】
また、分離部２４は、開口部２３の大きさよりも小さい大きさに形成され、円弧状の辺部２４ａと、辺部２４ａの下側の端部から連設された直線状の辺部２４ｂと、辺部２４ａの上側の端部から連設された直線状の辺部２４ｃと、辺部２４ｃの辺部２４ａ側とは反対側の端部から連設された円弧状の辺部２４ｄと、辺部２４ｄの下側の端部と辺部２４ｂの辺部２４ａ側とは反対側の端部間に形成された直線状の辺部２４ｅとで囲まれた構成を有している。分離部２４は本体部２２における略中央に設けられ、縦方向には、本体部２２の中央よりもやや上側に形成され（つまり、分離部２４と本体部２２の上辺間の長さＬ５は、分離部２４と本体部２２の下辺間の長さＬ２よりも短い）、横方向には、本体部２２の中央に形成されている（つまり、分離部２４の正面側の端部と本体部２２の正面側の辺部間の長さＬ６（＝Ｌ３）は、分離部２４の背面側の端部と本体部２２の背面側の辺部間の長さＬ７と等しい）。なお、分離部２４の本体部２２における横方向の位置を略中央としてもよい。
【００４０】
ここで、辺部２４ａの曲率は辺部２３ａの曲率と同一（略同一としてもよい）であり、辺部２４ｄの曲率は辺部２４ａの曲率よりも小さく形成されている。また、辺部２４ｂと辺部２４ｃとは互いに平行に形成され、辺部２４ｅは、辺部２４ｂに対して直角に形成されている。また、辺部２４ａの下側の端部は水平方向（本体部２２の下辺と平行な方向）に形成され（つまり、辺部２４ａの下側の端部の接線は、辺部２４ｂと重なる）、辺部２４ｂが辺部２４ａの下側の端部から連設されているのに対して、辺部２４ａの上側の端部の方向は、水平方向に対して上側に傾斜していて（つまり、辺部２４ａの上側の端部の接線Ｓと辺部２４ｃとは角度α（αは３０〜４０度）をなしている）、辺部２４ａの上側の端部から辺部２４ｃが連設している。つまり、辺部２４ａは、縁部２３−１の辺部２３ａよりも短く形成されている。また、辺部２４ｂは、縁部２３−１の辺部２３ｂよりも短く形成されている。
【００４１】
この分離部２４は、辺部２４ａと辺部２４ｂにおいて、開口部２３の縁部２３−１と切目線（切断予定線）Ｋ２４を介して接続している。つまり、辺部２４ａは、縁部２３−１の辺部２３ａと切目線を介して接続され、辺部２４ｂは、縁部２３−１の辺部２３ｂと切目線を介して接続されている。辺部２３ａと辺部２４ａ間の切目線と辺部２３ｂと辺部２４ｂ間の切目線とで切目線Ｋ２４が形成される。つまり、分離部２４の正面側と底面側が切目線Ｋ２４を介して本体部２２と接続している。切目線Ｋ２４は、複数の切込み（ブランクの一方の面から他方の面まで貫通した切込み）を間隔を介して形成することにより形成され、例えば、ミシン目状に形成される。なお、辺部２４ｃと辺部２４ｄと辺部２４ｅは、縁部２３−１とは接続されていない。
【００４２】
開口部２３と分離部２４とは上記のように形成されているので、分離部２４が開口部２３内に設けられた状態では、分離部２４は、開口部２３内において正面側及び底面側に偏って形成され、分離部２４と縁部２３−１間には、略三日月状の間隙２３Ｓが形成されている。すなわち、分離部２４の上側と背面側に、間隙２３Ｓが形成されている。この間隙２３Ｓが形成されていることにより、外箱部Ａ２を内箱部Ａ１に対して回動させた場合に、分離部２４が開口部２３内に配置された状態で、分離部２４と縁部２３−１間の切目線を破断することができる。詳しくは後述する。なお、側面部２０においては、略三日月状の間隙２３Ｓの形状を有する開口部と、該開口部から連設された切目線Ｋ２４とが形成されているといえる。
【００４３】
また、側面部３０は、正面部１０の正面視における左端の辺部から折れ線Ｃ３を介して連設され、本体部（内側側面部本体部）３２と、本体部３２の開口部３３内に形成された分離部３４とを有している。
【００４４】
この側面部３０は、側面部２０と対称（内箱部Ａ１の展開状態では線対称）に形成されている。すなわち、本体部３２は、本体部２２と対称に形成され（開口部３３も開口部２３と対称に形成されている）、分離部３４は、分離部２４と対称に形成されている点以外は同様の構成であるので、詳しい説明を省略する。なお、分離部３４は、開口部３３の縁部３３−１と切目線Ｋ３４を介して接続されている。つまり、分離部３４の正面側と底面側が切目線Ｋ３４を介して本体部３２と接続している。
【００４５】
開口部３３と分離部３４とは上記のように形成されているので、分離部３４が開口部３３内に設けられた状態では、分離部３４と縁部３３−１間には、略三日月状の間隙３３Ｓが形成されている。すなわち、分離部３４の上側と背面側に、間隙３３Ｓが形成されている。この間隙３３Ｓが形成されていることにより、外箱部Ａ２を内箱部Ａ１に対して回動させた場合に、分離部３４が開口部３３内に配置された状態で、分離部３４と縁部３３−１間の切目線を破断することができる。
【００４６】
また、背面部４０は、側面部２０の右側面視における右端の辺部から折れ線Ｃ１を介して連設され、方形状（長方形状）を呈している。この背面部４０の横幅は、正面部１０の横幅と同一に形成され、背面部４０の縦幅は、側面部２０、３０の縦幅（最大縦幅）と同一に形成されている。
【００４７】
また、糊代部４２は、側面部３０の左側面視における左端から折れ線Ｃ４を介して連設され、縦方向に細長の帯状台形形状を呈している。この糊代部４２は、図３に示すように、その外側の面が背面部４０の内側の面に接着されている。つまり、図５における糊代部４２のハッチングに示す領域に接着剤が塗布され、背面部４０に接着される。背面部４０に接着剤を塗布して、糊代部４２と接着してもよい。
【００４８】
また、底面部５０は、第１片部６０と、第２片部７０と、第３片部８０と、第４片部９０とを有し、包装箱Ａの組立て状態においては、図４に示すように、略方形状の外形を呈している。この底面部５０は、いわゆるワンタッチ底と呼ばれるものである。
【００４９】
ここで、第１片部６０は、正面部１０の下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００５０】
また、第２片部７０は、側面部２０の下端から折れ線を介して連設され、略長方形状に形成され、第２片部７０の上面の一部が内箱部Ａ１の内底面の一部を形成している。また、第２片部７０の角部（側面部２０と背面部４０の境界位置の角部）からは第２片部７０の側面部２０との境界をなす辺部に対して斜めに折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。すなわち、図５における第４片部９０のハッチングに示す領域に接着剤が塗布され、先端部７４に接着されている。先端部７４に接着剤を塗布して第４片部９０と接着してもよい。
【００５１】
また、第３片部８０は、側面部３０の下端から折れ線を介して連設され、底面部５０の組立て状態においては、第２片部７０と点対称に形成されている。すなわち、第３片部８０は、側面部３０の下端から折れ線を介して連設され、略長方形状に形成され、第３片部８０の上面の一部が内箱部Ａ１の内底面の一部を形成している。また、第３片部８０の角部（側面部３０と正面部１０の境界位置の角部）からは第３片部８０の側面部３０との境界をなす辺部に対して斜めに折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。すなわち、図５における第１片部６０のハッチングに示す領域に接着剤が塗布され、先端部８４に接着されている。先端部８４に接着剤を塗布して第１片部６０と接着してもよい。
【００５２】
また、第４片部９０は、背面部４０の下端から折れ線を介して連設され、先端側にいくほど幅狭となる略台形形状に形成され、その上面の一部が内箱部Ａ１の内底面の一部を形成している。
【００５３】
底面部５０は、ワンタッチ底であるとして説明したが、他の形状でもよく、例えば、地獄底の形状としてもよい。
【００５４】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、第２片部７０の本体部７２を上方に回動させて側面部２０に対して略平行にし、第３片部８０の本体部８２を上方に回動させて側面部３０に対して略平行にすることにより、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００５５】
次に、外箱部Ａ２は、内箱部Ａ１を覆う箱体であり、図１〜図４、図７等に示すように、スリーブ状部（外側スリーブ状部）１０５と、上面部１６０、１７０、１８０、１９０とを有していて、その展開状態は、図７に示すように形成されている。
【００５６】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。なお、スリーブ状部１０５の縦方向の長さ（最大長さ、すなわち、側面部１２０、１３０の縦方向の最大長さ）は、スリーブ状部５の縦方向の長さ（最大長さ、側面部２０、３０の縦方向の最大長さや背面部４０の縦方向の長さ）よりも長く形成されている。
【００５７】
ここで、正面部１１０は、略方形状（略長方形状）の板状を呈している。この正面部１１０の横幅（最大幅）は、内箱部Ａ１を外箱部Ａ２内に収納することができるように、正面部１０の横幅よりも若干大きく形成されている。なお、正面部１１０の右側の辺部の下端領域には、側面部１２０の切欠部１２２からつながった切欠部１１２が縦長の帯状に形成され、また、正面部１１０の左側の辺部の下端領域には、側面部１３０の切欠部１３２からつながった切欠部１１４が縦長の帯状に形成されている。
【００５８】
また、側面部１２０は、正面部１１０の正面視における右端の辺部から折れ線Ｃ１２を介して連設され、略方形状を呈している。すなわち、側面部１２０は、方形状の下端に略方形状の切欠部１２２と、略三角形状の切欠部１２４とを形成した形状を有している。
【００５９】
切欠部１２２は、側面部１２０の下端で正面側の角部に設けられ、側面部１２０の正面側の端部から形成され直線状の辺部１２０ａと、辺部１２０ａの背面側の端部から連設され円弧状の辺部１２０ｂと、辺部１２０ｂの辺部１２０ａ側とは反対側の端部から連設された直線状の辺部１２０ｃとにより形成されている。辺部１２０ｃの下端は、側面部１２０の辺部１２０ｄと接続されている。辺部１２０ｄは、側面部１２０の下端（下辺）をなしている。辺部１２０ａは、水平方向（辺部１２０ｄや折れ線Ｃ２２と平行な方向）に形成され、辺部１２０ｃは、辺部１２０ａに対して直角に形成されている。
【００６０】
また、切欠部１２４は、辺部１２０ｄの背面側の端部から連設され、辺部１２０ｄに対して傾斜した辺部１２０ｅにより形成されている。つまり、辺部１２０ｅは、背面側にいくほど上方になるように傾斜している。辺部１２０ｅの水平方向（すなわち、辺部１２０ｄの方向）に対する角度βは鋭角であり、例えば、１５度〜３５度（好適には、２５度）に形成されている。
【００６１】
また、辺部１２０ｄと辺部１２０ｅ間の角部Ｐ１は、外箱部Ａ２を内箱部Ａ１から分離する際に、外箱部Ａ２を回動させる回動中心となるが、この角部Ｐ１の横方向の位置は、分離部２４を介して外箱部Ａ２と内箱部Ａ１とが接着された状態で、分離部２４の背面側の端部よりも背面側となる。すなわち、図１３に示すように、角部Ｐ１の位置は、分離部２４の背面側の端部の横方向の位置Ｑ１よりも背面側（図１３では右側）となる。これにより、外箱部Ａ２を内箱部Ａ１に対して回動させる際に、分離部２４は、開口部２３において背面側の斜め上方に移動することになる。なお、本体部２２から分離した分離部２４が背面側の斜め上方に移動するための空間を形成するために、間隙２３Ｓが分離部２４の上側と背面側に形成されているが、分離部２４が背面側の斜め上方に移動するには、角部Ｐ１の横方向の位置は、少なくとも分離部２４の横方向の中心位置Ｑ２よりも背面側に設けられている必要がある。また、角部Ｐ１の縦方向の位置は、分離部２４よりも下方の位置であり、具体的には、側面部２０の下端の位置（底面部５０の下面の位置としてもよい）となる。つまり、側面部１２０の辺部１２０ｄは側面部２０の下辺２２ｄに沿って設けられ、側面部２０の下辺２２ｄの高さと側面部１２０の辺部１２０ｄの高さとは一致しているので、角部Ｐ１の縦方向の位置は、側面部２０の下端の位置となる。
【００６２】
以上のようにして、側面部１２０の底面側の辺部は、切込み１２２を構成する辺部（辺部１２０ａ、１２０ｂ、１２０ｃ）と、辺部１２０ｄと、辺部１２０ｅとから構成されている。辺部１２０ｄは、「内側側面部の底面側の辺部に沿って設けられた第１辺部」に当たり、辺部１２０ｅは、「第１辺部の背面側の背面側の端部から連設され、背面側にいくほど上方になるように傾斜した第２辺部」に当たる。
【００６３】
なお、側面部１２０の横方向の長さは、内箱部Ａ１を外箱部Ａ２内に収納することができるように、側面部２０の横方向の長さよりも若干大きく形成されている。また、側面部１２０の縦方向の長さ（最大長さ）は、側面部２０の縦方向の長さ（最大長さ）よりも長く形成されている。
【００６４】
また、側面部１３０は、正面部１１０の正面視における左端の辺部から折れ線Ｃ１３を介して連設され、略方形状を呈している。すなわち、側面部１３０は、側面部１２０と対称（外箱部Ａ２の展開状態では線対称）に形成されていて、方形状の下端に略方形状の切欠部１３２と、略三角形状の切欠部１３４とを形成した形状を有している。
【００６５】
側面部１３０は側面部１２０と対称である点以外は側面部１２０と同様の構成であるので、詳しい説明を省略する。なお、側面部１３０の下辺である辺部１３０ｄと傾斜辺である辺部１３０ｅ間には角部Ｐ２が形成されている。側面部１３０の底面側の辺部は、切込み１３２を構成する辺部と、辺部１２０ｄと、辺部１２０ｅとから構成されている。辺部１３０ｄは、「内側側面部の底面側の辺部に沿って設けられた第１辺部」に当たり、辺部１３０ｅは、「第１辺部の背面側の背面側の端部から連設され、背面側にいくほど上方になるように傾斜した第２辺部」に当たる。
【００６６】
以上のように、回動中心となる角部Ｐ１の位置は、分離部２４の背面側の端部よりも背面側で、分離部２４の下端よりも下側にあるといえ、回動中心となる角部Ｐ２の位置は、分離部３４の背面側の端部よりも背面側で、分離部３４の下端よりも下側にあるといえる。なお、分離部２４（３４）の横方向の位置は、分離部２４（３４）の横方向の中心位置よりも背面側にあるとしてもよい。
【００６７】
また、背面部１４０は、側面部１２０の右側面視における右端の辺部から折れ線Ｃ１１を介して連設され、方形状を呈している。この背面部１４０の横方向の長さは、内箱部Ａ１を外箱部Ａ２内に収納することができるように、背面部４０の横幅よりも若干大きく形成され、正面部１１０の横方向の長さと略同一に形成されている（つまり、折れ線Ｃ１０と折れ線Ｃ１１間の長さは、折れ線Ｃ１２と折れ線Ｃ１３間の長さと同一に形成されている）。
【００６８】
なお、背面部１４０の下端の辺部（底面側の辺部）１４０ａにおける右側面側の端部と側面部１２０の辺部１２０ｅの背面側の端部とは一致するとともに、背面部１４０の辺部１４０ａにおける左側面側の端部と側面部１３０の辺部１３０ｅの背面側の端部とは一致していて（つまり、辺部１４０ａは、辺部１２０ｅの背面側の端部と辺部１３０ｅの背面側の端部間に形成されている）、背面部１４０の辺部１４０ａは、側面部１２０の辺部１２０ｄや側面部１３０の辺部１３０ｄよりも上方に位置している。背面部１４０の辺部１４０ａは、直線状を呈し、背面部４０の下辺４０ａと平行で、背面部４０の下辺よりも上方に位置している。
【００６９】
また、糊代部１４２は、背面部１４０の背面視における右端の辺部から折れ線Ｃ１０を介して連設され、縦方向に細長の帯状台形形状を呈している。この糊代部１４２は、図２に示すように、その内側の面が側面部１３０の外側の面に接着されている。すなわち、図７の糊代部１４２のハッチングに示す領域に接着剤が塗布され、側面部１３０に接着されている。側面部１３０に接着剤を塗布して、糊代部１４２と接着してもよい。
【００７０】
スリーブ状部１０５は上記のように形成されているので、正面部１１０と側面部１２０、１３０の縦方向の長さ（最大長さ）は略同一に形成されているが、背面部１４０の縦方向の長さは、正面部１１０と側面部１２０、１３０の縦方向の長さ（最大長さ）よりも短く形成されている。
【００７１】
なお、折れ線Ｃ１０と折れ線Ｃ１１と折れ線Ｃ１２と折れ線Ｃ１３の各折れ線に沿って折曲げ容易とするために、各折れ線に沿って間隔を介して直線状の切込み（ブランクの一方の面から他方の面まで貫通した切込み）が形成されている。
【００７２】
また、上面部１６０は、正面部１１０の上端から折れ線Ｃ２３を介して連設され、方形状（長方形状）を呈している。また、上面部１７０は、側面部１２０の上端から折れ線Ｃ２２を介して連設され、方形状（長方形状）を呈している。また、上面部１８０は、側面部１３０の上端から折れ線Ｃ２４を介して連設され、方形状（長方形状）を呈している。また、上面部１９０は、背面部１４０の上端から折れ線Ｃ２１を介して連設され、方形状（長方形状）を呈している。
【００７３】
外箱部Ａ２の展開状態において、上面部１７０と上面部１６０との間には隙間が形成され、上面部１８０と上面部１６０との間には隙間が形成され、上面部１９０と上面部１７０との間には隙間が形成されている。これら４つの上面部１６０〜１９０は、外箱部Ａ２の上面を開閉するものであり、特に、上面部１７０と上面部１８０を閉状態とすることにより外箱部Ａ２の上面が塞がれる。すなわち、上面部１７０の折れ線Ｃ２２から先端までの長さと上面部１８０の折れ線Ｃ２４から先端までの長さは、ともに正面部１１０の横方向の長さや背面部１４０の横方向の長さの半分（略半分としてもよい）の長さに形成され、上面部１７０と上面部１８０により外箱部Ａ２の上面が塞がれる。つまり、上面部１６０〜１９０（主として、上面部１７０と上面部１８０）は、蓋部を構成する。
【００７４】
なお、上面部１６０〜１９０は、予め上方に立設した状態になっていて、外箱部Ａ２の上方が開口した状態になっている。なお、蓋部としての上面部１６０〜１９０はスリーブ状部１０５の上端の各辺から連設されているが、少なくとも１つの上面部から連設されていればよい。
【００７５】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００７６】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０の内側の面の間には接着剤層（図示せず）が設けられていて、同様に、分離部３４の外側の面の全部又は一部の領域と側面部１３０の内側の面の間には接着剤層（図示せず）が設けられている。接着剤の塗布領域としては、例えば、図５の分離部２４、３４のハッチングに示す領域となる。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。
【００７７】
該接着剤層の接着力は、外箱部Ａ２を内箱部Ａ１に対して角部Ｐ１、Ｐ２を中心に背面側に回動させた際に、切目線Ｋ２４が破断して分離部２４が内箱部Ａ１から分離して、分離部２４が側面部１２０に接着した状態が維持されるとともに、切目線Ｋ３４が破断して分離部３４が内箱部Ａ１から分離して、分離部３４が側面部１３０に接着した状態が維持されるように設定されている。
【００７８】
また、分離部２４と本体部２２間の切目線Ｋ２４の強度や分離部３４と本体部３２間の切目線Ｋ３４の強度は、外箱部Ａ２を内箱部Ａ１に対して角部Ｐ１、Ｐ２を中心に背面側に回動させることにより、切目線Ｋ２４、Ｋ３４が破断する程度の強度となっている。
【００７９】
また、内箱部Ａ１と外箱部Ａ２とが接着された状態では、内箱部Ａ１の下端（つまり、底面部５０の下面）と外箱部Ａ２の下端（正面部１１０の下辺や側面部１２０の辺部１２０ｄや側面部１３０の辺部１３０ｄ）とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００８０】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００８１】
なお、上記内箱部Ａ１、外箱部Ａ２において、各折れ線の箇所には、予め罫線が形成されている。
【００８２】
また、外箱部Ａ２には、側面部１２０には切欠部１２２が形成され、側面部１３０には切欠部１３２が形成され、正面部１１０の両側には切欠部１１２、１１４が形成されているので、内箱部Ａ１はこれらの切欠部から露出している。つまり、少なくとも側面部２０及び側面部３０の下端の正面側の領域が露出しているので、側面部２０と側面部３０とをつかむことにより片手で内箱部Ａ１をつかむことができる。なお、内箱部Ａ１は片手でつかむことができる大きさに形成されている。すなわち、内箱部Ａ１の正面部１０の横方向の長さは、側面部２０と側面部３０とを片手でつかむことができる長さ（例えば、１０ｃｍ以下）に形成され、また、外箱部Ａ２の側面部１２０の切欠部１２２や側面部１３０の切欠部１３２の大きさも、切欠部１２２、１３２から露出した内箱部Ａ１を片手でつかむことができる大きさに形成されている。なお、正面部１１０の下端の両側の切欠部１１２、１１４は省略してもよい。
【００８３】
また、外箱部Ａ２も片手でつかむことができる大きさに形成されている。すなわち、外箱部Ａ２の正面部１１０の横方向の長さは、側面部１２０と側面部１３０とを片手でつかむことができる長さ（例えば、１０ｃｍ以下）に形成され、これにより、外箱部Ａ２を内箱部Ａ１から分離する際に、側面部１２０と側面部１３０とを片手でつかむことができる。
【００８４】
また、外箱部Ａ２の下辺である辺部１４０ａは側面部１２０の辺部１２０ｄや側面部１３０の辺部１３０ｄよりも上方に形成され、また、側面部１２０には傾斜した辺部１２０ｅが形成され、側面部１３０には傾斜した辺部１３０ｅが形成されているので、内箱部Ａ１は、外箱部Ａ２の背面側の下端領域や両側面の下端の背面側の領域からも露出している。外箱部Ａ２には、辺部１２０ｅ、１３０ｅが形成されているので、外箱部Ａ２を内箱部Ａ１に対して角部Ｐ１、Ｐ２を中心に回動させることができる。
【００８５】
上記構成の包装箱Ａの使用状態について説明する。包装箱Ａを使用しない状況では、上記のように包装箱Ａは平板状に折り畳むことができるので、折り畳んで保管しておく。
【００８６】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。また、底面部５は、略平板状に組み立てられる。
【００８７】
そして、図９に示すように、包装箱Ａの上方から複数の被収納物（商品）Ｇを内箱部Ａ１内に収納する。なお、被収納物Ｇとしては、レトルトパウチ等のパウチ製品のように柔軟性のあるものとするのが好ましい。すなわち、外箱部Ａ２を内箱部Ａ１に対して分離する際に外箱部Ａ２を角部Ｐ１、Ｐ２を中心に回動させるが、その際、外箱部Ａ２の正面部１１０が被収納物Ｇに接触する可能性があるため、柔軟性のある被収納物とするのが好ましい。なお、上面部１６０〜１９０は、予め上方に立設した状態になっていて、外箱部Ａ２の上方が開口した状態になっているので、被収納物Ｇはそのまま包装箱Ａの上方から収納すればよい。また、外箱部Ａ２の正面部１１０、側面部１２０、１３０、背面部１４０や内箱部Ａ１の正面部１０、側面部２０、３０、背面部４０は、上方に立設した状態となっているので、被収納物の収納に支障はない。その後、上面部１６０〜１９０を閉状態にして、接着テープＴを外箱部Ａ２の正面部１１０から上面を経て背面部１４０側にまで接着させることにより、図１０に示すように、上面部１６０〜１９０を封止する。つまり、スリーブ状部１０５の上部開口に対して上面部１６０〜１９０を閉じた状態とすることにより、上面部１６０〜１９０により（主として、上面部１７０、１８０により）該上部開口を閉状態にして固定する。
【００８８】
以上のようにして、被収納物を包装箱Ａに包装したら、被収納物Ｇを収納した包装箱Ａを被収納物Ｇを陳列する場所に搬送する。
【００８９】
その後、被収納物を陳列する場合には、外箱部Ａ２を内箱部Ａ１から分離する。実際の操作としては、例えば、一方の手で内箱部Ａ１の露出部分（すなわち、側面部１２０における切欠部１２２から露出した部分と側面部１３０における切欠部１３２から露出した部分）をつかむとともに、他方の手で外箱部Ａ２の側面部１２０と側面部１３０の上端の正面側の領域をつかんで、外箱部Ａ２をつかんだ該他方の手を背面側斜め上方に引き上げる。つまり、外箱部Ａ２の正面部１１０が背面側斜め上方に回動するように、外箱部Ａ２を内箱部Ａ１に対して回動させる。すると、外箱部Ａ２が角部Ｐ１、Ｐ２を回動中心として内箱部Ａ１に対して回動する。つまり、外箱部Ａ２は、角部Ｐ１と角部Ｐ２を結ぶ回動軸を中心に回動する。なお、外箱部Ａ２を角部Ｐ１、Ｐ２を中心に回動させるので、包装箱Ａを載置面に載置した状態で操作するのが好ましい。
【００９０】
すなわち、外箱部Ａ２を内箱部Ａ１に対して角部Ｐ１、Ｐ２を中心に背面側に回動させることにより、分離部２４が本体部２２に対して背面側斜め上方に引っ張られるとともに、分離部３４が本体部３２に対して背面側斜め上方に引っ張られるので、切目線Ｋ２４、Ｋ３４が破断し、さらに、外箱部Ａ２を回動させて、側面部１２０の辺部１２０ｅと側面部１３０の辺部１３０ｅと背面部１４０の辺部１４０ａが包装箱Ａの載置面と平行で該載置面に接する状態とする（図１１参照）。この状態では、辺部１２０ｅは、側面部２０の下辺２２ｄと平行になり、辺部１３０ｅは、側面部３０の下辺３２ｄと平行になる。
【００９１】
分離部２４が切目線Ｋ２４を介して本体部２２と接続している状態（つまり、切目線Ｋ２４が破断する前の状態）から、辺部１２０ｅと辺部１３０ｅと辺部１４０ａが包装箱Ａの載置面と平行で該載置面に接する状態となるまでの分離部２４の状態を図示すると図１３に示すようになり、切目線Ｋ２４が破断する前の状態（図１３（ａ））から外箱部Ａ２を回動させることにより、切目線Ｋ２４が破断し、分離部２４は外箱部Ａ２の側面部１２０に接着した状態で角部Ｐ１を中心に回動する（図１３（ｂ））。その際、切目線Ｋ２４が破断する前の状態で分離部２４の上側と背面側に間隙２３Ｓが形成されているので、外箱部Ａ２を内箱部Ａ１に対して回動させることにより、分離部２４を本体部２２に対して（つまり、切目線Ｋ２４に対して）上方かつ背面側に引っ張って切目線Ｋ２４を破断することができる。つまり、間隙２３Ｓが設けられていない（つまり、分離部２４の上側及び背面側に本体部が接している）場合には、本体部２２における分離部２４の上側及び背面側の部分が邪魔となって、分離部２４を切目線Ｋ２４に対して引っ張ることができないが、本実施例の場合には、間隙２３Ｓが設けられているので、分離部２４を切目線Ｋ２４に対して引っ張ることができ、切目線Ｋ２４を破断することができる。
【００９２】
回動する分離部２４は、開口部２３の縁部に接触すると（図１３（ｂ）参照）、その後は、開口部２３内の領域から外れてさらに回動していき、辺部１２０ｅと辺部１３０ｅと辺部１４０ａが包装箱Ａの載置面と平行で該載置面に接する状態では、分離部２４は、図１３（ｃ）に示す状態となる。なお、分離部２４はシート状のブランクの一部であるため薄く形成され、また、内箱部Ａ１や外箱部Ａ２を構成するブランクは段ボール等のシート状のブランクにより形成され柔軟性や可撓性があるので、分離部２４が開口部２３の縁部に接触した場合でも、さらに外箱部Ａ２を回動させることにより、分離部２４は容易に開口部２３内から離脱することができる。
【００９３】
なお、分離部３４が切目線Ｋ３４を介して本体部３２と接続している状態から、辺部１２０ｅと辺部１３０ｅと辺部１４０ａが包装箱Ａの載置面と平行で該載置面に接する状態となるまでの分離部３４の状態は、分離部２４の場合と対称になる以外は同様である。
【００９４】
次に、辺部１２０ｅ、１３０ｅと辺部１４０ａが包装箱Ａの載置面と平行で該載置面に接する状態となったら、背面部１４０の辺部１４０ａを中心に外箱部Ａ２を内箱部Ａ１に対してさらに回動させて、外箱部Ａ２を内箱部Ａ１に対して開けた状態とする。その後は、背面部１４０が載置面に接する状態とした後に、外箱部Ａ２を内箱部Ａ１から引き離す。なお、辺部１２０ｅ、１３０ｅと辺部１４０ａが包装箱Ａの載置面と平行で該載置面に接する状態（図１１の状態）となった際に、外箱部Ａ２を内箱部Ａ１に対して上方に引き上げて外箱部Ａ２を内箱部Ａ１に対して分離してもよいし、辺部１２０ｅ、１３０ｅと辺部１４０ａが包装箱Ａの載置面と平行で該載置面に接する状態から背面部１４０が載置面に接する状態（図１２の状態）の間の位置で外箱部Ａ２を内箱部Ａ１に対して上方に引き上げて外箱部Ａ２を内箱部Ａ１に対して分離してもよい。
【００９５】
なお、外箱部Ａ２が角部Ｐ１、Ｐ２を中心に回動することにより外箱部Ａ２の正面部１１０が背面側に倒れるので、正面部１１０が被収納物Ｇに接触する可能性があるが、被収納物を柔軟性のあるものとするか、又は、被収納物が背面側に倒れるだけの空間的に余裕を設けておくことにより、外箱部Ａ２の回動に支障を来すことがない。
【００９６】
外箱部Ａ２を内箱部Ａ１に対して分離したら、図１４に示すように、被収納物Ｇを内箱部Ａ１に収納した状態で陳列を行なう。
【００９７】
本実施例の包装箱によれば、外箱部Ａ２を内箱部Ａ１に対して回動させるという動作のみで外箱部Ａ２を内箱部Ａ１から分離することができるので、少ない工程で外箱部Ａ２を内箱部Ａ１に対して分離することができる。
【００９８】
また、一方の手で内箱部Ａ１をつかんだ状態で他方の手で外箱部Ａ２を分離させるので、被収納物が軽量の場合でも内箱部Ａ１に対する外箱部Ａ２の分離に支障を来すことがない。つまり、上記従来例（実用新案登録第３１３９９４８号）の場合のように、内箱部に収納される被収納物が軽量の場合に、外箱部を分離する際に内箱部も上方に引き上げられてしまうことがない。
【００９９】
また、外箱部Ａ２の側面部１２０、１３０に角部Ｐ１、Ｐ２が設けられ、角部Ｐ１、Ｐ２を支点にして回動させることができるので、外箱部Ａ２の回動を円滑に行なうことができる。
【０１００】
また、内箱部Ａ１の側面部２０には開口部２３が設けられ、該開口部２３内に分離部２４が設けられているので、分離部２４が本体部２２により安定して支持され（つまり、分離部２４が側面部２０において安定的に支持される）、また、側面部３０には開口部３３が設けられ、該開口部３３内に分離部３４が設けられているので、分離部３４が本体部３２により安定して支持され（つまり、分離部３４が側面部３０において安定的に支持される）、よって、内箱部Ａ１と外箱部Ａ２の接合部分を安定させて、不用意に切目線Ｋ２４、Ｋ３４が破断するのを防止することができる。すなわち、図１５に示すように、上方が開口した切欠部２３’（３３’）内に分離部２４（３４）を設けた場合には、切欠部２３’（３３’）の上方が開口していることから分離部２４（３４）が安定して支持されずに分離部２４（３４）がぐらつくおそれがあり、分離部２４（３４）がぐらつくと不用意に切目線Ｋ２４（Ｋ３４）が破断するおそれがあるが、上記のように、開口部２３（３３）内に分離部２４（３４）が設けられているので、分離部２４（３４）を安定して支持することができる。
【０１０１】
また、開口部２３（３３）内に分離部２４（３４）を設けた構成であるので、側面部２０、３０の上辺に沿って凹凸が形成されず、内箱部Ａ１の生産性を向上させることができる。
【０１０２】
また、分離部２４（３４）は側面部２０（３０）において横方向の中央位置に設けられているので、外箱部Ａ２が内箱部Ａ１により安定して支持される。
【０１０３】
また、本実施例の包装箱Ａにおいては、上記従来例（実用新案登録第３１３９９４８号）に比べて、外箱部Ａ２の側面部１２０、１３０に切目線による片部が設けられないので、側面部１２０、１３０の見栄えをよくすることができる。
【０１０４】
また、本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【０１０５】
また、本実施例の包装箱Ａによれば、分離部２４、３４を内箱部Ａ１から分離することにより、外箱部Ａ２を内箱部Ａ１から分離するのみで被収納物を陳列することができるので、陳列作業を容易に行なうことができる。
【０１０６】
また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【０１０７】
また、内箱部Ａ１については、図１５のように、本体部２２の上側に上方に開口した切欠部２３’を設け、切欠部２３’内に分離部２４を切目線Ｋ２４を介して設ける（つまり、分離部２４の正面側と底面側が切目線Ｋ２４を介して本体部２２と接続している）とともに、本体部３２の上側に上方に開口した切欠部３３’を設け、切欠部３３’内に分離部３４を切目線Ｋ３４を介して設ける（つまり、分離部３４の正面側と底面側が切目線Ｋ３４を介して本体部３２と接続している）ものとしてもよい。この場合にも、分離部２４は、切欠部２３’内における正面側に偏って形成され、分離部２４の背面側に分離部２４と切欠部２３’の縁部との間に間隙２３Ｓが形成され、分離部３４は、切欠部３３’内における正面側に偏って形成され、分離部３４の背面側に分離部３４と切欠部３３’の縁部との間に間隙３３Ｓが形成されており、これにより、外箱部Ａ２を内箱部Ａ１に対して回動させることにより、分離部２４、３４を本体部２２に対して（つまり、切目線Ｋ２４、Ｋ３４に対して）上方かつ背面側に引っ張って切目線Ｋ２４、Ｋ３４を破断することができる。
【０１０８】
なお、図１５の例では、分離部２４（３４）は、切欠部２３’（３３’）の底面側に偏って形成されていて、切欠部２３’（３３’）内において、分離部２４（３４）の上側に空間が設けられているが、切欠部２３’（３３’）は上方に開口しているので、特に、分離部２４（３４）は、切欠部２３’（３３’）の底面側に偏って形成する必要はない。
【０１０９】
ただし、図５に示す構成と比べて、分離部２４、３４を側面部２０、３０において安定して支持する効果や、側面部２０、３０の上辺に沿って凹凸が形成されず、内箱部Ａ１の生産性を向上させることができる効果は弱いといえる。
【０１１０】
なお、上記の説明において、側面部２０（３０）、特に、開口部２３、３３や分離部２４、３４は上記で説明した形状であるとしたが、分離部２４（３４）が該開口部２３（３３）内において正面側及び底面側に偏って形成されることにより、分離部２４（３４）の背面側及び上側に分離部２４（３４）と開口部２３（３３）の縁部との間に間隙が形成されているとともに、分離部２４（３４）の正面側と底面側が切目線を介して本体部２２（３２）と接続している構成であれば、開口部２３、３３や分離部２４、３４の形状は他の形状であってもよい。つまり、そのような構成であれば、外箱部Ａ２を内箱部Ａ１に対して回動させることにより、分離部２４（３４）を本体部２２（３２）に対して上方かつ背面側に引っ張って切目線Ｋ２４（Ｋ３４）を破断することができる。
【０１１１】
また、包装箱Ａを左右対称の構成としてもよく、すなわち、内箱部Ａ１を左右対称の構成としてもよく、また、外箱部Ａ２を左右対称の構成としてもよい。
【符号の説明】
【０１１２】
Ａ 包装箱
Ａ１ 内箱部
Ａ２ 外箱部
５、１０５ スリーブ状部
１０、１１０ 正面部
２０、３０、１２０、１３０ 側面部
２２、３２ 本体部
２４、３４ 分離部
２３、３３  開口部
２３Ｓ、３３Ｓ  間隙
４０、１４０ 背面部
４２、１４２ 糊代部
５０ 底面部
６０  第１片部
７０  第２片部
８０  第３片部
９０  第４片部
１６０、１７０、１８０、１９０ 上面部
Ｋ２４、Ｋ３４  切目線
【図１】
2014156276.tif 000003
【図２】
2014156276.tif 000004
【図３】
2014156276.tif 000005
【図４】
2014156276.tif 000006
【図５】
2014156276.tif 000007
【図６】
2014156276.tif 000008
【図７】
2014156276.tif 000009
【図８】
2014156276.tif 000010
【図９】
2014156276.tif 000011
【図１０】
2014156276.tif 000012
【図１１】
2014156276.tif 000013
【図１２】
2014156276.tif 000014
【図１３】
2014156276.tif 000015
【図１４】
2014156276.tif 000016
【図１５】
2014156276.tif 000017